(57)【要約】【課題】飲料の抽出時にゲーム性を取り入れることで、集客率の向上を図り、飲料の販売数増大を実現することができる飲料ディスペンサを提供する。【解決手段】本発明の飲料ディスペンサ１は、前面に設けられた飲料選択ボタン４１Ｂ乃至４１Ｌの操作に基づき、所定の飲料供給位置１０Ａ、１０Ｂ、１１Ａ乃至１１Ｃに配置されたカップに、ノズル６、７、１２より飲料を抽出するものであって、飲料選択ボタンの操作に基づき、所定の特典を与えるための抽選を行う抽選制御部３７を備えた。【選択図】図１
2011255937.tif 000002
【特許請求の範囲】
【請求項１】
前面に設けられた飲料選択ボタンの操作に基づき、所定の飲料供給位置に配置されたカップに、ノズルより飲料を抽出する飲料ディスペンサにおいて、
前記飲料選択ボタンの操作に基づき、所定の特典を与えるための抽選を行う制御手段を備えたことを特徴とする飲料ディスペンサ。
【請求項２】
前面に設けられた複数の照明手段を備え、
前記制御手段は、これら照明手段を制御することにより、前記抽選中における所定の点／消灯パターンによる演出表示と、前記抽選による当選表示を実行することを特徴とする請求項１に記載の飲料ディスペンサ。
【請求項３】
前記飲料選択ボタンは、前面に装飾部材を着脱自在に保持するための保持部と、該保持部に保持された前記装飾部材の後側に対応して設けられ、前記照明手段を構成するボタン照明手段とを備え、
前記制御手段は、前記ボタン照明手段により、前記抽選による当選表示を実行することを特徴とする請求項２に記載の飲料ディスペンサ。
【請求項４】
前記制御手段は、前記飲料選択ボタンの操作に基づいて前記抽選を行うか否かを切り換えるための設定切換手段を備えていることを特徴とする請求項１乃至請求項３のうちの何れかに記載の飲料ディスペンサ。
【請求項５】
前記制御手段は、前記飲料選択ボタンの操作に基づき、一定量以上の飲料が抽出されたことを条件として前記抽選を実行することを特徴とする請求項１乃至請求項４のうちの何れかに記載の飲料ディスペンサ。
【請求項６】
前記制御手段は、前記抽選の結果が当選であった場合、前記飲料の抽出を禁止とすると共に、当該抽出禁止を解除する解除手段を備えたことを特徴とする請求項１乃至請求項５のうちの何れかに記載の飲料ディスペンサ。
【請求項７】
前記抽選は、与えられる前記特典がそれぞれ異なる複数種の当選を有することを特徴とする請求項１乃至請求項６のうちの何れかに記載の飲料ディスペンサ。
【請求項８】
前記制御手段は、前記飲料供給位置に配置された前記カップを識別するためのカップ識別手段を備え、
該カップ識別手段による識別結果に基づき、同一の前記カップへの飲料抽出により実行される前記抽選の回数を制限することを特徴とする請求項１乃至請求項７のうちの何れかに記載の飲料ディスペンサ。
【発明の詳細な説明】
【技術分野】
【０００１】
本発明は、本体前面に飲料選択ボタンの操作に基づき、所定の飲料供給位置に配置されたカップに、ノズルより飲料を供給する飲料ディスペンサに関する。
【背景技術】
【０００２】
従来より用いられている飲料ディスペンサは、濃度の高い液体原料を収容した液体原料タンクやＢＩＢ（Ｂａｇ  Ｉｎ  Ｂｏｘ）から供給された液体原料を希釈水や炭酸水等の希釈液と適度の比率で混ぜ合わせ、カップに飲料を供給している（例えば特許文献１参照）。
【０００３】
この際、飲料ディスペンサの前面には、各飲料の飲料選択ボタンが設けられており、当該飲料選択ボタンの操作によって、所定量の飲料、若しくは操作している間、連続した飲料の抽出を行っている。
【先行技術文献】
【特許文献】
【０００４】
【特許文献１】特開平１１−２４５９９７号公報
【発明の概要】
【発明が解決しようとする課題】
【０００５】
上述した飲料ディスペンサは、例えば飲食店等のフリードリンクサービスとして設けられている場合がある。一般には、抽出飲料の種類や、一回の抽出量、抽出回数等に制限を設けていない場合が多いが、飲料の抽出機能のみを有するものであったため、付加的な要素による顧客の購買意欲の増長を図ることが困難であった。
【０００６】
本発明は、従来の技術的課題を解決するためになされたものであり、飲料の抽出時にゲーム性を取り入れることで、集客率の向上を図り、飲料の販売数増大を実現することができる飲料ディスペンサを提供する。
【課題を解決するための手段】
【０００７】
上記課題を解決するために、本発明の飲料ディスペンサは、前面に設けられた飲料選択ボタンの操作に基づき、所定の飲料供給位置に配置されたカップに、ノズルより飲料を抽出するものであって、飲料選択ボタンの操作に基づき、所定の特典を与えるための抽選を行う制御手段を備えたことを特徴とする。
【０００８】
請求項２の発明は、上記発明において、前面に設けられた複数の照明手段を備え、制御手段は、これら照明手段を制御することにより、抽選中における所定の点／消灯パターンによる演出表示と、抽選による当選表示を実行することを特徴とする。
【０００９】
請求項３の発明は、上記発明において、飲料選択ボタンは、前面に装飾部材を着脱自在に保持するための保持部と、該保持部に保持された装飾部材の後側に対応して設けられ、照明手段を構成するボタン照明手段とを備え、制御手段は、ボタン照明手段により、抽選による当選表示を実行することを特徴とする。
【００１０】
請求項４の発明は、上記各発明において、制御手段は、飲料選択ボタンの操作に基づいて抽選を行うか否かを切り換えるための設定切換手段を備えていることを特徴とする。
【００１１】
請求項５の発明は、上記各発明において、制御手段は、飲料選択ボタンの操作に基づき、一定量以上の飲料が抽出されたことを条件として抽選を実行することを特徴とする。
【００１２】
請求項６の発明は、上記各発明において、制御手段は、抽選の結果が当選であった場合、飲料の抽出を禁止とすると共に、当該抽出禁止を解除する解除手段を備えたことを特徴とする。
【００１３】
請求項７の発明は、上記各発明において、抽選は、与えられる特典がそれぞれ異なる複数種の当選を有することを特徴とする。
【００１４】
請求項８の発明は、上記各発明において、制御手段は、飲料供給位置に配置されたカップを識別するためのカップ識別手段を備え、カップ識別手段による識別結果に基づき、同一のカップへの飲料抽出により実行される抽選の回数を制限することを特徴とする。
【発明の効果】
【００１５】
本発明によれば、前面に設けられた飲料選択ボタンの操作に基づき、所定の飲料供給位置に配置されたカップに、ノズルより飲料を抽出する飲料ディスペンサにおいて、飲料選択ボタンの操作に基づき、所定の特典を与えるための抽選を行う制御手段を備えたことにより、飲料選択ボタンの操作による飲料の供給動作の度に抽選を行うことで、飲料の供給時にゲーム性を取り入れることが可能となる。
【００１６】
顧客の興味を引きやすくなることで、集客率の向上を図ることができ、再度の飲料供給率を向上させ、飲料の販売数増大を実現することができる。
【００１７】
請求項２の発明によれば、上記発明に加えて、前面に設けられた複数の照明手段を備え、制御手段は、これら照明手段を制御することにより、抽選中における所定の点／消灯パターンによる演出表示と、抽選による当選表示を実行することにより、格別な抽選体等を装置自体に設けることなく、飲料ディスペンサ自体や、その周辺を照明する複数の照明手段等を用いて抽選中における演出表示や、当選表示等を行うことが可能となる。
【００１８】
請求項３の発明によれば、上記発明に加えて、飲料選択ボタンは、前面に装飾部材を着脱自在に保持するための保持部と、該保持部に保持された装飾部材の後側に対応して設けられ、照明手段を構成するボタン照明手段とを備え、制御手段は、ボタン照明手段により、抽選による当選表示を実行することにより、既存の状態で、飲料の抽出を指示する飲料選択ボタンの保持部に、当選表示を行う装飾部材を保持させることで、当該飲料選択ボタンを用いて抽選により当選表示を容易に行うことが可能となる。
【００１９】
例えば、請求項４の発明の如く、制御手段は、飲料選択ボタンの操作に基づいて抽選を行うか否かを切り換えるための設定切換手段を備えている場合、抽選を行う場合、当選表示を行う飲料選択ボタンの保持部に当選表示を行う装飾部材を保持させ、抽選を行わない場合、当該飲料選択ボタンの保持部には、抽出指示を行う飲料などが明記された装飾部材を保持させて使用することができる。
【００２０】
このため、抽選を行う場合と行わない場合とにおける使用形態を容易に変更可能とすることができ、抽選を行わない場合には、当選表示を行う装飾部材を取り外すことで、支障のない飲料提供を実現することが可能となる。
【００２１】
また、設定切替手段にて抽選を行うか否かの切換を行うことで、任意に抽選を行う使用形態と、抽選を行わない使用形態とで切り換えて使用することが可能となり、設置された店舗等における利便性の向上を図ることができる。
【００２２】
請求項５の発明によれば、上記各発明に加えて、制御手段は、飲料選択ボタンの操作に基づき、一定量以上の飲料が抽出されたことを条件として抽選を実行することにより、誤操作等に基づく短時間の飲料選択ボタンの操作による抽選実行を回避することができる。
【００２３】
これにより、円滑な飲料提供を実現することができると共に、一定量以上の飲料の抽出を条件とすることで、抽選が濫発されることによる不都合を解消することが可能となる。
【００２４】
請求項６の発明によれば、上記各発明に加えて、制御手段は、抽選の結果が当選であった場合、飲料の抽出を禁止とすると共に、当該抽出禁止を解除する解除手段を備えたことにより、当選結果を店舗の店員等が確認するまで表示させておくことが可能となる。
【００２５】
これにより、当選に基づく特典の提供を円滑に実現することができる。また、確認後店員等が解除手段によって抽出禁止を解除することにより、円滑に飲料提供を再開することが可能となる。
【００２６】
請求項７の発明によれば、上記各発明に加えて、抽選は、与えられる特典がそれぞれ異なる複数種の当選を有することにより、そのゲーム性の向上を図ることが可能となる。
【００２７】
請求項８の発明によれば、上記各発明に加えて、制御手段は、飲料供給位置に配置されたカップを識別するためのカップ識別手段を備え、カップ識別手段による識別結果に基づき、同一のカップへの飲料抽出により実行される抽選の回数を制限することにより、同一のカップへの飲料抽出による抽選が無制限に実行される不都合を回避することが可能となる。
【図面の簡単な説明】
【００２８】
【図１】本発明を適用した飲料ディスペンサの正面図である。
【図２】本発明を適用した飲料ディスペンサの扉を開いた状態の正面図である。
【図３】本発明を適用した飲料ディスペンサの内部構成を示す側面図である。
【図４】図１の銘柄フィルム、扉装飾部材を取り除いた状態の飲料ディスペンサの正面図である。
【図５】図４のＸ−Ｘ部分を上方から見た断面図である。
【図６】制御装置の電気ブロック図である。
【図７】抽選制御のフローチャートである。
【発明を実施するための形態】
【００２９】
以下、本発明の実施の形態について、図面に基づき詳細に説明する。図１は本発明を適用した飲料ディスペンサ１の正面図、図２は図１の飲料ディスペンサ１の前面扉２８を開いた状態の正面図、図３は図１の飲料ディスペンサ１の内部構成を示す側面図を示している。
【００３０】
本実施例の飲料ディスペンサ１は、レストランや喫茶店などにおいて、顧客等が自由に飲料の供給を行うことを可能とするものであり、ウーロン茶、コーヒー等の中性飲料を供給するＢＩＢユニット３２、３２、３２と、強弱無炭酸系の目的飲料を供給するタンクユニット３１を本体２内に併せ持つ装置である。係る飲料ディスペンサ１の構造は、図２に示す如くタンクユニット３１が本体２の一側（この場合、図２の向かって左側）に、各ＢＩＢユニット３２、３２、３２が並設した状態で本体２の他側（この場合、図２の向かって右側）に配置されている。そして、これらタンクユニット３１とＢＩＢユニット３２、３２、３２は本体２の前面に位置する開閉自在の前面扉２８にて隠蔽されている。
【００３１】
タンクユニット３１は、図２、図３に示す如く、飲料原料を供給する飲料原料流路に電磁弁８とフローレギュレータ１７を配設して構成している。更に、タンクユニット３１には、飲料原料と他のチューブより供給される希釈水を混合して目的飲料を吐出するマルチノズル１２、１２が設けられている。このマルチノズル１２は、複数の飲料原料タンクより供給される種類の異なった飲料原料によって種類の異なった目的飲料を利用者の選択に応じて吐出する複合ノズルである。
【００３２】
次に、ＢＩＢユニット３２を図２に基づき説明する。ＢＩＢ３の不透明な導出チューブ４は、売切検知用のセンサ１３を介して、ポンプ（ペリスタルティックポンプ）５のロータ５Ａとアーム５Ｂに挟持されており、ポンプ５の下方に設けられたピンチソレノイド１９を介して、飲料原料は、ノズル６に供給されるように構成されている。
【００３３】
ポンプ５は、ロータ５Ａに取り付けられた複数のローラによって導出チューブ４を順次扱きながら飲料原料を押し出すものである。更に、飲料原料のノズル６に隣接して希釈水のノズル７が設けられている。
【００３４】
そして、このＢＩＢユニット３２のノズル６、７及びタンクユニット３１のマルチノズル１２、１２の下方には、テーブル１４が設けられ、テーブル１４上にガイド１５によってガイドされるカップを配置することができる。本実施例では、テーブル１４の上には、一側のタンクユニット３１、３１のマルチノズル１２、１２の下方を飲料供給位置１０Ａ、１０Ｂとされると共に、ＢＩＢユニット３２、３２、３２からの飲料の供給が行われるノズル６、７のそれぞれの下方を飲料供給位置１１Ａ、１１Ｂ、１１Ｃとされる。
【００３５】
尚、図３の３３は希釈水などを冷却するための冷却装置を構成するコンプレッサ、３４はコンデンサ、３６は希釈水ポンプモータである。また、３７は希釈水や飲料原料を冷却するための水槽である。
【００３６】
次に、図１、図４乃至図５を参照して、本体２の前面、本実施例では扉２８の前面の構成について詳述する。図４は銘柄フィルム４３Ａ乃至４３Ｌ、扉装飾部材２２Ａ乃至２２Ｅを取り除いた状態の飲料ディスペンサ１の正面図、図５は図１のＸ−Ｘ部分を上方から見た断面図をそれぞれ示している。尚、図５では、扉２８の一側３区画分の断面図のみを示している。
【００３７】
本体２の前面に相当する扉２８の前面には、飲料が吐出される各ノズル１２、６、７に対応する飲料の供給を指示する飲料選択ボタンが設けられる。この飲料選択ボタンは、飲料供給位置毎に対応して設けられる。本実施例では、タンクユニット３１の一方のマルチノズル１２から供給される飲料の各飲料選択ボタン４１Ａ乃至４１Ｆは、本体２の一側（図１の向かって左側端部側）の飲料供給位置１０Ａの上方に位置して上下に設けられ、タンクユニット３１の他方のマルチノズル１２から供給される飲料の各飲料選択ボタン４１Ｇ乃至４１Ｉは、上記飲料選択ボタン４１Ｄ乃至４１Ｆの他側（図１の向かって右側）であって、飲料供給位置１０Ｂの上方に位置して上下に設けられる。そして、各ＢＩＢユニット３２、３２、３２から供給される飲料の飲料選択ボタン４１Ｊ、４１Ｋ、４１Ｌは、飲料供給位置１１Ａ、１１Ｂ、１１Ｃのそれぞれに対応する上方に位置して設けられる。
【００３８】
即ち、図１の例では、タンクユニット３１の一方のマルチノズル１２により供給される飲料は、強弱無炭酸系の各種目的飲料であり、それぞれ飲料供給位置１０Ａの上方に位置して縦に一列に並べられた状態で、各種飲料選択ボタン４１Ａ乃至４１Ｆが設けられる。同様に他方のマルチノズル１２により供給される飲料も、強弱無炭酸系の各種目的飲料であり、それぞれ飲料供給位置１０Ｂの上方に位置して縦に一列に並べられた状態で、各種飲料選択ボタン４１Ｇ乃至４１Ｉが設けられる。
【００３９】
そして、本体２前面中央から他側（図１の向かって右側）に設けられるＢＩＢユニット３２、３２、３２により供給される飲料はウーロン茶やコーヒー等のそれぞれ単一種類の中性飲料であり、飲料供給位置１１Ａの上方に位置して飲料選択ボタン４１Ｊが、飲料供給位置１１Ｂの上方に位置して飲料供給ボタン４１Ｋが、飲料供給位置１１Ｃの上方に位置して飲料供給ボタン４１Ｌが設けられる。本実施例では、各飲料供給位置と、各種飲料選択ボタンとの連動感を認識させやすくするため、各種飲料選択ボタンは、より各飲料供給位置に近くなる扉２８の下部に設けられるものとする。
【００４０】
各飲料選択ボタン４１Ａ乃至４１Ｌは、図４及び図５に示されるように、前面が所定曲率にて湾曲して形成された略半円筒状を呈するボタン側保持部４２と、当該ボタン側保持部４２に保持される銘柄等が印刷された装飾部材としての透光性の銘柄フィルム４３Ａ乃至４３Ｌと、当該銘柄フィルム４３Ａ乃至４３Ｌを後方から照らし出すボタン照明（ボタン照明手段）４４と、銘柄フィルム４３Ａ乃至４３Ｌの後方に位置する接触スイッチ４５とから構成される。
【００４１】
ボタン側保持部４２は、内部を透視可能とすると共に、所定の可撓性を有する材料にて形成されており、当該ボタン側保持部４２全体は、扉２８の前面に対し着脱自在に嵌め込まれるものである。
【００４２】
また、当該ボタン側保持部４２に保持される銘柄フィルム４３Ａ乃至４３Ｌは、ボタン側保持部４２を扉２８前面から取り外した状態で、当該保持部４２の上下端より挿脱可能とされると共に、当該保持部４２の前面の湾曲形状に沿って保持される。
【００４３】
ここで、本実施例では、特定の飲料選択ボタン、例えば、本体２の一側最上部に配設される飲料選択ボタン４１Ａの銘柄フィルム４３Ａは、ボタン側保持部４２を取り外して、詳細は後述する所定の特典を与えるための抽選による「当選」であることを表示する印刷が施された装飾部材としての透光性の当選フィルム４０を保持可能とされる。これにより、後述する抽選を行う抽選モードに切り換えられた場合、銘柄フィルム４３Ａの代わりに当選フィルム４０が保持された飲料選択ボタン４１Ａは、当選表示部を構成することとなり、当該飲料選択ボタン４１Ａのボタン照明４４による点灯によって当選表示を行う。
【００４４】
各銘柄フィルム４３Ａ乃至４３Ｌ若しくは当選フィルム４０を構成する装飾部材の後方に設けられるボタン照明４４は、例えば白色のＬＥＤなどの照明手段により構成されており、本実施例では少なくとも二段階の照度（低・高）を制御可能とされている。また、同様に装飾部材の後方に設けられる接触スイッチ４５は、本実施例では、ボタン照明４４の左右に二つ設けられており、前方に設けられるボタン側保持部４２が扉２８方向に押されることにより通電され、対応する飲料の供給を指示することを可能とする。尚、当該ボタン照明４４及び接触スイッチ４５は、いずれもそれぞれの飲料選択ボタン毎に設けられるボタン基板４６に設けられる。
【００４５】
他方、本体２前面の上記各飲料選択ボタン４１Ａ乃至４１Ｌが設けられる以外の領域には、電照看板４８が設けられる。この電照看板４８は、上記各飲料選択ボタン４１Ａ乃至４１Ｌを回避したかたちで、本体２（扉２８）前面の全体に渡って形成されるものであり、それぞれ扉側保持部２３と、当該扉側保持部２３に着脱自在に保持される透光性の扉装飾部材２２Ａ乃至２２Ｅと、該装飾部材を後方から照らし出す扉照明（扉照明手段）４９とから構成される。
【００４６】
本実施例では、扉側保持部２３は、上述した如き各ユニット３１、３２、３２から飲料供給が行われる飲料供給位置１０Ａ、１０Ｂ、１１Ａ乃至１１Ｃのそれぞれに対応して（実際には、左右に並べられた各飲料選択ボタンの列に対応して）左右に五つに区画されており、いずれの区画Ｃも、飲料選択ボタン４１Ａ乃至４１Ｌを回避するかたちで、上下に延在すると共に、前面は所定曲率にて湾曲して形成された略半円筒状を呈している。そして、この扉側保持部２３の少なくとも前面は、内部を透視可能な材料にて形成されている。また、各区画が形成された扉側保持部２３の上端は、上部カバー２４にて開閉自在に閉塞される。
【００４７】
また、当該扉側保持部２３に保持される装飾部材２２Ａ乃至２２Ｅは、例えば、所定の透光度を有するシートにより形成されており、当該飲料ディスペンサ１により供給される飲料の広告やイメージ図柄、メッセージなどが印刷等により表されているものとする。上部カバー２４が開放された状態で、当該保持部２３の各区画の上端より装飾部材２２Ａ乃至２２Ｅが挿脱可能とされると共に、当該保持部２３の前面の湾曲形状に沿って保持される。
【００４８】
各装飾部材２２Ａ乃至２２Ｅの後方に設けられる扉照明４９は、前記ボタン照明４４と同様に、例えばＬＥＤなどの照明手段により構成されている。このとき、同一の区画に設けられる扉照明４９は、同一の照明基板５０に設けられるものとする。
【００４９】
次に、図１０の電気ブロック図を参照して、本実施例における制御装置３３について説明する。制御装置３３は、汎用のマイクロコンピュータにより構成されており、所定の時限手段としてのタイマ３４を内蔵している。この制御装置３３の入力側には、飲料選択ボタン４１Ａ乃至４１Ｌの各接触スイッチ４５と、図示しない販売可スイッチなどが接続される。制御装置３３の出力側には、各ボタン照明４４と、扉照明４９等が接続されている。また、当該制御装置３３には、タンクユニット３１の各飲料原料の供給ラインに設けられる開閉弁８等と、ＢＩＢユニット３２、３２、３２に設けられるポンプ５、５及び希釈水電磁弁（ノズル７に接続）等からなる販売機構３５及び、当該飲料ディスペンサ１における各種設定を行うためのリモコン３９が接続されている。
【００５０】
また、本実施例における制御装置３３は、飲料選択ボタン４１Ｂ〜４１Ｌの操作に基づき、所定の特典を与えるための抽選を行う抽選制御部３７を備えている。この抽選制御部３７には、本体２の外面、本実施例では、上面に配設された抽選機能入出力装置３８が接続されている。
【００５１】
この抽選機能入出力装置３８は、抽選機能入力部５１と、抽選機能出力部５５とを備えており、抽選機能入力部５１には、飲料選択ボタン４１Ｂ〜４１Ｌの操作に基づき、所定の特典を与えるための抽選を行う抽選モードと、当該抽選を行わない通常モードとを切り換え可能とするモード切替スイッチ５２（設定切換手段）と、当該抽選モード時における当選状態を解除するための解除スイッチ５３とが接続されている。そして、抽選機能出力部５５には、抽選の結果、当選となった際、当該当選を告知、周知する出力手段の一例としてのブザー５６が接続されている。
【００５２】
本実施例では、図１等に示すように、抽選機能入出力装置３８は、本体２の上面に配設されており、その前面に、これらモード切替スイッチ５２と、解除スイッチ５３及びブザー用の開口５６Ａが設けられている。
【００５３】
以上の構成により、飲料ディスペンサ１における飲料抽出のための飲料選択ボタン操作に基づく抽選制御について図７のフローチャートを参照して説明する。
【００５４】
先ず初めに、制御装置３３は、ステップＳ１において、現在設定されたモードが通常モードであるか、抽選モードであるか否かを判断する。ここで、先ず、通常モードの場合について説明する。通常モードを行う場合、使用者は、抽選機能入出力装置３８のモード切替スイッチ５２をＯＦＦ、即ち、通常モードに切り換える。更に、特定の飲料選択ボタン、この場合飲料選択ボタン４１Ａに保持された装飾部材が当選フィルム４０となっている場合には、当該飲料選択ボタン４１Ａの操作に基づき抽出する飲料の種類等が明示された銘柄フィルム４３Ａに差し替える。
【００５５】
ステップＳ１において、通常モードに切り換えられている（抽選モードがＯＦＦとされている）場合には、ステップＳ２に進み、制御装置３３は、飲料選択ボタン４１Ａの操作を許可、即ち、当該ボタン操作による対応する飲料の抽出を可能な状態とし、ステップＳ３に進んで、販売待機状態に移行する。
【００５６】
当該販売待機状態において、使用者が飲料の供給を行う場合には、先ず、供給を行う飲料の選択を行い、当該飲料の銘柄等が記載された銘柄フィルム４３Ａ〜４３Ｌが取り付けられた飲料選択ボタンの下方に位置する飲料供給位置にカップを載置する。尚、ここでは、本体２の中央に位置するＢＩＢユニット３２から飲料を供給する場合を例に挙げて説明する。
【００５７】
図１に示される飲料ディスペンサ１において、例えば、ウーロン茶等の中性飲料の供給を行う場合には、飲料選択ボタン４１Ｊの下方であって、当該飲料原料の供給を行うノズル６及び希釈水の供給を行うノズル７の下方に位置する飲料供給位置１１Ａにカップを載置する。
【００５８】
そして、飲料供給位置１１Ａに対応する飲料選択ボタン４１Ｊが押圧操作されることにより（販売開始。ステップＳ４）、販売機構３５が制御されることにより、操作されている間（押圧されている間）だけ当該ＢＩＢユニット３２のポンプ５が運転されて、ＢＩＢ３から飲料原料がノズル６からカップ内に供給されると共に、対応する希釈水電磁弁が当該時間だけ開放され、希釈水がノズル７からカップ内に供給される。このとき、カップ内には、飲料原料と希釈水とが混合され、所定の希釈割合にて希釈された飲料が供給される（販売終了。ステップＳ５）。
【００５９】
尚、他のＢＩＢユニット３２から飲料供給を行う場合、タンクユニット３１から飲料供給を行う場合であっても、同様に、対応する飲料選択ボタン４１Ａ〜４１Ｌの押圧操作の間だけ対応する飲料供給位置に配置されたカップ内に飲料の供給が行われる。飲料供給終了後は、制御装置３３は、再度ステップＳ１に戻る。
【００６０】
他方、抽選モードを行う場合、使用者は、抽選機能入出力装置３８のモード切替スイッチ５２をＯＮ、即ち、抽選モードに切り換える。更に、特定の飲料選択ボタン、この場合飲料選択ボタン４１Ａに保持された装飾部材が特定の銘柄フィルム４３Ａとなっている場合には、当選フィルム４０に差し替える。
【００６１】
ステップＳ１において、抽選モードに切り換えられている（抽選モードがＯＮとされている）場合には、ステップＳ６に進み、制御装置３３は、飲料選択ボタン４１Ａの操作を禁止、即ち、当該ボタン操作による対応する飲料の抽出ができない状態（販売禁止）とし、ステップＳ７に進んで、販売待機状態に移行する。
【００６２】
当該販売待機状態において、使用者が飲料の供給を行う場合には、先ず、供給を行う飲料の選択を行い、当該飲料の銘柄等が記載された銘柄フィルム４３Ｂ〜４３Ｌ（銘柄フィルム４３Ａの飲料選択ボタン４１Ａは販売禁止とされているため）が取り付けられた飲料選択ボタンの下方に位置する飲料供給位置にカップを載置する。尚、ここでは、タンクユニット３１（一側に位置するマルチノズル１２）から飲料を供給する場合を例に挙げて説明する。
【００６３】
図１に示される飲料ディスペンサ１において、例えば、強弱炭酸系の飲料の供給を行う場合には、飲料選択ボタン４１Ｂ乃至４１Ｆの下方であって、当該飲料原料の供給を行うマルチノズル１２（一側に相当するマルチノズル１２）の下方に位置する飲料供給位置１０Ａにカップを載置する。
【００６４】
そして、飲料供給位置１０Ａに対応する飲料選択ボタン４１Ｂ乃至４１Ｆの何れかが押圧操作されることにより（販売開始。ステップＳ８）、販売機構３５が制御されることで、操作されている間（押圧されている間）だけ当該タンクユニット３１の対応する飲料原料の電磁弁８及び希釈液（希釈水、希釈炭酸水）の電磁弁が開放されて、所定割合にて希釈混合された目的飲料がマルチノズル１２からカップ内に供給される（販売終了。ステップＳ９）。
【００６５】
尚、他のタンクニット３１から飲料供給を行う場合や、ＢＩＢユニット３２から飲料供給を行う場合であっても、同様に、対応する飲料選択ボタン４１Ｇ〜４１Ｌの押圧操作の間だけ対応する飲料供給位置に配置されたカップ内に飲料の供給が行われる。
【００６６】
飲料供給終了後、制御装置３３は、ステップＳ１０に進み、今回の飲料のカップへの吐出量が予め設定された一定量以上であったか否かを判断する。本実施例では、内蔵されたタイマ３４の検出出力に基づき、飲料選択ボタンの押圧操作連続時間が所定時間以上であったか否かの判断により、一定量以上の飲料が吐出されたか否かを判断する。尚、当該操作連続時間は、吐出方式が異なるため、タンクユニット３１と、各ＢＩＢユニット３２とで異なる時間に設定しても良い。
【００６７】
ステップＳ１０における判断において飲料の吐出量が当該一定量に満たないと判断された場合には、制御装置３３の抽選制御部３７によって、抽選権利なし（抽選権利不成立）と判断（ステップＳ１１）し、ステップＳ１に戻る。
【００６８】
他方、ステップＳ１０において制御装置３３の抽選制御部３７によって、飲料の吐出量が一定量に達したものと判断した場合には、制御装置３３の抽選制御部３７によって、抽選権利有り（抽選権利成立）と判断（ステップＳ１２）し、予め設定された当選確率にて抽選が行われる。抽選制御部３７は、今回の抽選結果が当選であるか非当選（外れ）であるかを決定する。
【００６９】
そして、抽選制御部３７は、本体２の前面に設けられた複数の飲料選択ボタン４１Ａ乃至４１Ｌのボタン照明４４により抽選中であることを示す、抽選演出表示、本実施例では、これらのボタンが所定のパターンにて順次点／消灯を繰り返すルーレット表示を開始する（ステップＳ１３）。
【００７０】
一実施例として、各ボタン照明４４は、それぞれのボタン照明が設けられる飲料選択ボタンを、図１の各区画の最下段に位置する飲料選択ボタン４１Ｆ、４１Ｉ、４１Ｊ、４１Ｋから成る第１グループと、その上の段に位置する飲料選択ボタン４１Ｅ、４１Ｈから成る第２グループと、その上の段に位置する飲料選択ボタン４１Ｄ、４１Ｇから成る第３グループと、その上の段に位置する飲料選択ボタン４１Ｃから成る第４グループと、その上の段に位置する飲料選択ボタン４１Ｂから成る第５グループと、その上の段に位置し当選フィルム４０が保持された飲料選択ボタン４１Ａ（この場合当選表示部を構成する）から成る第６グループとする。
【００７１】
そして、抽選制御部３７は、電照看板４８の各扉照明４９を消灯し、先ず初めに第１グループを構成する各飲料選択ボタン４１Ｆ、４１Ｉ、４１Ｊ、４１Ｋのボタン照明４４を所定時間点灯し、他の飲料選択ボタンを消灯とする。その後、第１グループを消灯した後、第２グループを構成する各飲料選択ボタン４１Ｅ、４１Ｈのボタン照明４４を所定時間点灯した後消灯し、次に、第３グループを構成する飲料選択ボタン４１Ｄ、４１Ｇのボタン照明４４を所定時間点灯した後消灯し、次に、第４グループの飲料選択ボタン４１Ｃのボタン照明４４を所定時間点灯した後消灯し、次に、第５グループの飲料選択ボタン４１Ｂのボタン照明４４を所定時間点灯した後消灯し、次に、第６グループの飲料選択ボタン４１Ａ（当選表示部）のボタン照明４４を所定時間点灯した後消灯し、再度、第１グループの点灯に戻る。これを所定時間、繰り返して実行する。このとき、パターンにおいて、点／消灯の間隔や変更スピードを調整しても良い。
【００７２】
その後、上記抽選制御部３７にて得られた抽選による結果に基づき当選若しくは外れの判定表示を行う（ステップＳ１４）。抽選制御部３７は、抽選結果が「外れ」の場合、外れ表示として上記演出表示において順次、点／消灯される各グループのボタン照明４４を、例えば、当選表示部の点灯の一つ手前に相当する第５グループの飲料選択ボタン４１Ｂのボタン照明４４のみを所定時間点灯して、抽選表示を終了する（ステップＳ１５）。若しくは、当選表示部の点灯の一つ後に相当する第１グループの飲料選択ボタン４１Ｆ、４１Ｉ、４１Ｊ、４１Ｋのボタン照明４４のみを点灯して抽選表示を終了する。尚、当該外れ表示は、それまでの演出表示の一部を構成するものとする。そして、制御装置３３は、外れ表示の消灯後、通常の販売状態として電照看板４８の各扉照明４９を点灯する。
【００７３】
これにより、利用者は、当選表示部以外のところで点／消灯による演出表示が終了することで、抽選結果が外れであると認識する。係る外れ表示を行った後、当該外れ表示を消灯とし、抽選制御部３７は、ステップＳ１に戻る。
【００７４】
他方、ステップＳ１４において、抽選制御部３７における抽選結果が「当選」である場合には、判定表示は、「当選」表示を行うこととなる。本実施例において「当選」表示は、上記演出表示において順次、各グループのボタン照明４４点／消灯パターンの最後に、当選表示部に相当する第６グループの飲料選択ボタン４１Ａのボタン照明４４のみを点灯し、更に、当該当選表示部の点灯と共に、電照看板４８の各扉照明４９を点滅させ、当選表示の演出を行う（ステップＳ１６）。
【００７５】
また、当該当選表示に伴い、抽選制御部３７は、抽選機能出力装置５５のブザー５６出力を行い、音による当選演出を行う。
【００７６】
その後、抽選制御部３７は、販売機構３５による販売を停止させる（飲料の抽出禁止）とする（ステップＳ１７）。そして、当該飲料ディスペンサ１が設置された店舗における店員等が当該当選表示を確認した後、利用者への当選に基づく所定の特典の提供を行い、抽選機能入出力装置３８の解除スイッチ５３を操作する。
【００７７】
これにより、抽選制御部３７は、解除スイッチ５３の操作によって当選状態に基づく販売停止（飲料の抽出禁止）を解除する（ステップＳ１８）。これにより、当選表示部に相当する飲料選択ボタン４１Ａのボタン照明４４を消灯し、電照看板４８の各扉照明４９を通常の販売状態を示す点灯状態とする。更に、ブザー５６による出力を停止する。その後、ステップＳ１に戻る。
【００７８】
このように、本実施例では、飲料選択ボタン４１Ｂ乃至４１Ｌの操作に基づき、所定の特典を与えるための抽選を行い、当選表示、若しくは外れ表示を行うため、飲料選択ボタン４１Ｂ乃至４１Ｌの操作による飲料の供給動作の度に抽選を行うことで、飲料の供給時にゲーム性を取り入れることが可能となる。
【００７９】
これにより、顧客の興味を引きやすくなることで、集客率の向上を図ることができ、再度の飲料供給率を向上させ、飲料の販売数増大を実現することができる。
【００８０】
特に、本実施例では、飲料ディスペンサ１の本体２の前面に設けられた各飲料選択ボタンのボタン照明４４によって外れ表示を含む演出表示や、当選表示を行うため、格別な抽選体等を装置自体に設けることなく、飲料ディスペンサ自体や、その周辺を照明する複数の照明手段等を用いて抽選中における演出表示や、当選表示等を行うことが可能となる。
【００８１】
また、本実施例では、抽選制御部３７は、ステップＳ１０にて吐出量を判定し、各飲料選択ボタン４１Ｂ乃至４１Ｌの操作に基づき、一定量以上の飲料が抽出されたことを条件として抽選を実行するため、誤操作やいたずらなどに基づく短時間の飲料選択ボタンの操作による抽選実行を回避することができる。
【００８２】
これにより、円滑な飲料提供を実現することができると共に、一定量以上の飲料の抽出を条件とすることで、抽選が濫発されることによる不都合を解消することが可能となる。
【００８３】
また、本実施例では、抽選制御部３７は、抽選の結果が当選であった場合、飲料の抽出を禁止（停止）とすることにより、当選結果を店舗の店員等が確認するまで表示させておくことが可能となる。これにより、当選に基づく特典の提供を円滑に実現することができる。そして、確認後、店員等が解除スイッチ５３によって抽出禁止を解除することにより、円滑に飲料提供を再開することが可能となる。
【００８４】
更に、本実施例では、上述したように、本体２の上面等の外面側に配設された抽選機能入出力装置３８のモード切替スイッチ５２によって、飲料選択ボタン４１Ｂ〜４１Ｌの操作に基づき、所定の特典を与えるための抽選を行う抽選モードと、当該抽選を行わない通常モードとを切り換え可能とされている。
【００８５】
そのため、所定の特典を抽選結果によって与えるキャンペーンを実行する場合には、抽選モードを採用し、当該キャンペーン期間を終了した後は、通常モードに切り換えて使用することが可能となる。若しくは、ランチタイムなどの繁忙時間帯には、抽選モードを行わない通常モードに切り換え、それ以外の時間帯では、抽選モードを採用する使用形態を実現することができる。
【００８６】
これにより、任意に抽選を行う使用形態と、抽選を行わない使用形態とで切り換えて使用することが可能となるため、設置された店舗等における利便性の向上を図ることができる。
【００８７】
また、係る抽選モードの有無の切換の際には、抽選モード時において当選表示部として用いる飲料選択ボタン４１Ａのボタン側保持部４２に装飾部材として当選フィルム４０を保持させる。これにより、既存の飲料ディスペンサ１であっても、格別に本体１の前面に当選体を設けることなく、当該飲料選択ボタン４１Ａの装飾部材を銘柄フィルム４３Ａから当選フィルム４０に変更することで、ボタン照明４４を備えた当該飲料選択ボタン４１Ａを用いて抽選により当選表示を容易に行うことが可能となる。
【００８８】
そして、当該抽選モードと通常モードとを相互に切り換える場合には、モード切替スイッチ５２を切り換えると共に、抽選を行う場合、当選表示を行う飲料選択ボタン４１Ａの保持部４２に当選表示を行う装飾部材（当選フィルム４０）を保持させ、抽選を行わない場合、当該飲料選択ボタン４１Ａの保持部４２には、抽出指示を行う飲料などが明記された装飾部材（銘柄フィルム４３Ａ）を保持させて使用することができる。
【００８９】
このため、抽選を行う場合と行わない場合とにおける使用形態を容易に変更可能とすることができ、抽選を行わない場合には、当選表示を行う装飾部材を取り外すことで、支障のない飲料提供を実現することが可能となる。
【００９０】
特に、装飾部材（当選フィルム４０、銘柄フィルム４３Ａ）が保持されるボタン側保持部４２は、扉２８の前面に対し着脱自在に嵌め込まれて取り付けられるものであるため、ネジ止めされる上部カバー２４の取り外しが必要とされる扉装飾部材２２とは異なり、容易な着脱が可能となる。
【００９１】
また、本実施例では、抽選制御部３７の抽選による当選は、飲料選択ボタン４１Ａ（当選表示部）に表示される１種類のみの当選を示しているが、これに限定されるものではなく、当選表示を複数設け、与えられる特典がそれぞれ異なる複数種の当選を有するものとしても良い。これにより、よりゲーム性の向上、抽選の多様性を図ることが可能となる。
【００９２】
また、上記実施例において、一つのカップに対する抽選回数の制限を行うものを採用しても良い。一例として、飲料ディスペンサ１の本体２内に何れかの飲料供給位置１０Ａ、１０Ｂ、１１Ａ、１１Ｂ、１１Ｃに配置された所定のカップを識別するためのカップ識別部（カップ識別手段）５４を設け、当該カップ識別部５４を抽選機能入出力装置３８の抽選機能入力装置５１に接続する。
【００９３】
当該飲料ディスペンサ１の飲料供給に使用するカップには、予めＩＣチップなどの書換可能な記憶手段を備えたメモリが設けられており、当該メモリには、当該カップを識別するためのＩＤと、抽選回数に関するデータが記憶されている。
【００９４】
これにより、カップ識別部５４は、カップが何れかの飲料供給位置に配置された状態で、カップに記憶された現在の抽選回数が限定された抽選回数、例えば５回に達しているか否かを判断し、抽選回数に達している場合には、抽選権利無しとして、一定量の吐出が行われた場合であっても、抽選を行わないものとする。
【００９５】
他方、カップに記憶された現在の抽選回数が限定された抽選回数に満たない場合には、上述したように一定量の吐出が行われたことを条件として抽選を行い、抽選終了後、カップのメモリには、現在の抽選回数を１回加算する。
【００９６】
これにより、カップ識別部５４による識別結果に基づき、同一のカップへの飲料抽出により実行される抽選の回数を制限することにより、同一のカップへの飲料抽出による抽選が無制限に実行される不都合を回避することが可能となる。
【符号の説明】
【００９７】
１    飲料ディスペンサ
２    本体
６、７    ノズル
８    電磁弁
１２    マルチノズル
２２Ａ〜２２Ｅ  扉装飾部材
２３    扉側保持部
２４    上部カバー
２８    前面扉
３１    タンクユニット
３２    ＢＩＢユニット
３３    制御装置（制御手段）
３４    タイマ（時限手段）
３５    販売機構
３９    リモコン
３７    抽選制御部（制御手段）
３８    抽選機能入出力装置
４０    当選フィルム（装飾部材）
４１Ａ〜４１Ｌ  飲料選択ボタン
４２    ボタン側保持部
４３Ａ〜４３Ｌ  銘柄フィルム（装飾部材）
４４    ボタン照明（ボタン照明手段）
４５    接触スイッチ
４８    電照看板
４９    扉照明（扉照明手段）
５０    照明基板
５１    抽選機能入力部
５２    モード切替スイッチ（設定切換手段）
５３    解除スイッチ
５４    カップ識別部（カップ識別手段）
５５    抽選機能出力部
５６    ブザー
【図１】
2011255937.tif 000003
【図２】
2011255937.tif 000004
【図３】
2011255937.tif 000005
【図４】
2011255937.tif 000006
【図５】
2011255937.tif 000007
【図６】
2011255937.tif 000008
【図７】
2011255937.tif 000009